(57)【要約】      （修正有）【課題】自動的におむつ装用者の排尿検知と通報ができ、介護者の負担と非介護者の不快感を共に軽減できる排尿検知システムを提供する。【解決手段】おむつ装用者が装用するおむつに取り付けるとともに通常状態で所定のインピーダンスを持った尿検知部３３を備え、電磁誘導型パッシブタイプで個人情報を記憶したＩＣタグを用いた尿センサ３と、おむつ装用者のベッドシーツに取り付けるとともに、尿センサ３と電磁誘導結合するフィルム状アンテナ６と、おむつ装用者の個人情報を含む排尿監視、及び介護者等が所持する携帯情報端末へのデータ配信を行う管理コンピュータと、フィルム状アンテナ６への所要の電力供給を行い、フィルム状アンテナと尿センサとを電磁誘導結合させるとともに、管理コンピュータとの間で無線又は有線でのデータ伝送を行う送受信コントローラー７とを含み、尿Ｗの存在による尿検知部のインピーダンス変化を利用して排尿検知と通報を行う。【選択図】図５
0003194293.tif 000002
【実用新案登録請求の範囲】
【請求項１】
おむつ装用者が装用するおむつに取り付けるとともに通常状態で所定のインピーダンスを持った尿検知部を備え、電磁誘導型パッシブタイプで個人情報を記憶したＩＣタグを用いた尿センサと、
前記おむつ装用者が使用するベッド上のシーツに取り付けるとともに、前記尿センサと電磁誘導結合するフィルム状アンテナと、
前記おむつ装用者の個人情報を含む排尿監視、及び前記おむつ装用者の介護等を担当する介護者等が所持する任意数の携帯情報端末へのデータ配信を行う管理コンピュータと、
前記フィルム状アンテナへの所要の電力供給を行い、フィルム状アンテナと尿センサとを電磁誘導結合させるとともに、前記管理コンピュータとの間で無線又は有線でのデータ伝送を行い、前記フィルム状アンテナを介して前記尿センサとの間のデータ伝送を行う送受信コントローラーと、
を含む排尿検知システムであって、
前記尿センサの尿検知部における尿存在によるインピーダンス変化に基づく電磁誘導結合を利用して尿センサをオフからオンにスイッチングし、オンに転じた時点を前記管理コンピュータにより尿検知信号として検知して、この尿検知信号を基に前記携帯情報端末へ個人情報を含む排尿検知通報を行うように構成したことを特徴とする排尿検知システム。
【請求項２】
任意数のおむつ装用者が装用する各おむつに取り付けるとともに通常状態で所定のインピーダンスを持った尿検知部を備え、電磁誘導型パッシブタイプで各個人情報を記憶したＩＣタグを用いた尿センサと、
前記各おむつ装用者が使用する各ベッド上のシーツに取り付けるとともに、前記各尿センサと電磁誘導結合する各フィルム状アンテナと、
前記各おむつ装用者の個人情報を含む排尿監視、及び前記各おむつ装用者の介護等を担当する介護者等が所持する任意数の携帯情報端末への無線によるデータ配信を行う管理コンピュータと、
前記各フィルム状アンテナへの所要の電力供給を行い各フィルム状アンテナと各尿センサとを各々電磁誘導結合させるとともに、前記管理コンピュータとの間で無線又は有線でのデータ伝送を行い、前記各フィルム状アンテナを介して前記各尿センサとの間のデータ伝送を各々行う送受信コントローラーと、
を含む排尿検知システムであって、
前記いずれかの尿センサの尿検知部における尿存在によるインピーダンス変化に基づく電磁誘導結合断絶を利用して当該尿センサをオフからオンにスイッチングし、オンに転じた時点を前記管理コンピュータにより当該おむつ装用者の尿検知信号として検知して、この尿検知信号を基に前記携帯情報端末へ当該おむつ装用者の個人情報を含む排尿検知通報を行うように構成したことを特徴とする排尿検知システム。
【請求項３】
任意数のおむつ装用者が装用する各おむつに取り付けるとともに通常状態で所定のインピーダンスを持った尿検知部を備え、電磁誘導型パッシブタイプで各個人情報を記憶したＩＣタグを用いた尿センサと、
前記各おむつ装用者が使用する各車椅子上のシートに取り付けるとともに、前記各尿センサと電磁誘導結合する各フィルム状アンテナと、
前記各おむつ装用者の個人情報を含む排尿監視、及び前記各おむつ装用者の介護等を担当する介護者等が所持する任意数の携帯情報端末への無線によるデータ配信を行う管理コンピュータと、
前記各フィルム状アンテナへの所要の電力供給を行い各フィルム状アンテナと各尿センサとを各々電磁誘導結合させるとともに、前記管理コンピュータとの間で無線又は有線でのデータ伝送を行い、前記各フィルム状アンテナを介して前記各尿センサとの間のデータ伝送を各々行う送受信コントローラーと、
を含む排尿検知システムであって、
前記いずれかの尿センサの尿検知部における尿存在によるインピーダンス変化に基づく電磁誘導結合断絶を利用して当該尿センサをオフからオンにスイッチングし、オンに転じた時点を前記管理コンピュータにより当該おむつ装用者の尿検知信号として検知して、この尿検知信号を基に前記携帯情報端末へ当該おむつ装用者の個人情報を含む排尿検知通報を行うように構成したことを特徴とする排尿検知システム。
【請求項４】
任意数のおむつ装用者が装用する各おむつに取り付けるとともに通常状態で所定のインピーダンスを持った尿検知部を備え、電磁誘導型パッシブタイプで各個人情報を記憶したＩＣタグを用いた尿センサと、
前記各おむつ装用者が使用する各ベッド上のシーツに取り付けるとともに、前記各尿センサと電磁誘導結合する各フィルム状アンテナと、
前記各フィルム状アンテナへの所要の電力供給を行い各フィルム状アンテナと各尿センサとを各々電磁誘導結合させ、前記各フィルム状アンテナを介して前記各尿センサとの間のデータ伝送を各々行うとともに、前記各おむつ装用者の介護等を担当する介護者等が所持する任意数の携帯情報端末への無線によるデータ配信を行うＳＩＭカードを含む送受信コントローラーと、
を含む排尿検知システムであって、
前記いずれかの尿センサの尿検知部における尿存在によるインピーダンス変化に基づく電磁誘導結合断絶を利用して当該尿センサをオフからオンにスイッチングし、オンに転じた時点を送受信コントローラーにより当該おむつ装用者の尿検知信号として検知して、この尿検知信号を基に前記携帯情報端末へ当該おむつ装用者の個人情報を含む排尿検知通報を行うように構成したことを特徴とする排尿検知システム。
【請求項５】
前記おむつ装用者は、医療施設や介護施設等内の患者や被介護者等であることを特徴とする請求項１乃至４のいずれか１項に記載の排尿検知システム。
【考案の詳細な説明】
【技術分野】
【０００１】
本考案は、排尿検知システムに関し、詳しくは、バッテリーレス、電磁誘導を利用したパッシブ型で、スイッチング動作するＩＣタグ構造の尿センサを用いた排尿検知システムに関するものである。
【背景技術】
【０００２】
一般に、排泄とは、食事と同様に毎日行われる、生活の重要な土台となる行為のことである。
【０００３】
大人用おむつの果たすべき役割として最も大きな要素は、この排泄環境を整えサポートすることにある。
【０００４】
高齢者の排泄は、自尊心にかかわる大変デリケートな問題であり、高齢者の気持ちをまず理解し、正しい知識と技術で大人用おむつを使いこなせれば、何らかのトラブルが生じても、「大きな負担」から「さりげなく受け止められる」という排泄ケアに変えることができる。
【０００５】
高齢者等々の生活サポートの役割に次いで、重要な要素は、介護者自身の負担軽減である。
【０００６】
介護する側、介護される側ともに負担の少ない排泄ケアの実現には、適切な「高齢者向け排泄補助製品」の活用が不可欠となる。
【０００７】
例えば、自動的に排尿を検知して、適切な通報を受信できれば、介護者の負担軽減に役立ち、介護される側も不快感を軽減することができることになる。
【０００８】
最後の大きな要素は、高齢者の肌の２次トラブルの予防であり、高齢者の肌は保護機能が衰えている上、排泄物の刺激やおむつとの摩擦などにより、「むれ」「かぶれ」「床ずれ」などの２次トラブルを起こしやすい状態となっている。
【０００９】
吸水性・通気性の高い「大人用おむつ」の使用など、日常を清潔な状態に保ち、陰部洗浄など適切な排泄ケアを行うに際しておむつの交換時期が明確に分かれば排泄物の刺激から肌を守り、二次トラブルを防止することが可能となることは明らかである。
【００１０】
特許文献１には、本願出願人が先に提案し特許を取得した排尿検知システムが開示されている。
【００１１】
この排尿検知システムは、尿の有無による切り欠き部の導通・非導通を基にアンテナ回路の共振波長がシフトするように構成したＩＣタグからなり、おむつの内側に配置される尿センサと、このＩＣタグに対応した所定波長の電波を発信・受信するアンテナモジュールを介して、このアンテナモジュールから離れた位置にある上記尿センサと通信するリーダーと、このリーダーが読み出した上記尿センサの信号情報を記録する記録手段と、尿の検知を外部に向けて発信する通知手段と、上記リーダーはから上記電波を所定の時間間隔で発信させるためのタイマ回路と、このタイマ回路による所定の時間間隔の電波の発信の間に上記リーダーと尿センサとの間の通信が、尿センサの周囲に尿がないことによるインピーダンス不整合用の第２のループ部の非導通により上記尿センサの共振波長がリーダーの通信波長と一致している通信可能状態から、尿センサの切り欠き部への尿の付着による上記第２のループ部の導通により上記尿センサの共振波長がリーダーの通信波長と一致しない通信不能状態に変化した場合に、予め決められた尿の検知信号を上記通知手段を介して外部に向けて発信する制御手段と、を備える構成としたものである。
【先行技術文献】
【特許文献】
【００１２】
【特許文献１】特許第４８３０１２９号公報
【考案の概要】
【考案が解決しようとする課題】
【００１３】
本考案は、上記特許文献１の排尿検知システムの改良に関するものであり、バッテリーレス、電磁誘導を利用したパッシブ型で、尿の存在の有無に応じたインピーダンス変化によってスイッチング動作するＩＣタグ構造の尿センサを用い、一層的確におむつ装用者の排尿検知を実現する排尿検知システムを提供せんとするものである。
【課題を解決するための手段】
【００１４】
本考案は、おむつ装用者が装用するおむつに取り付けるとともに通常状態で所定のインピーダンスを持った尿検知部を備え、電磁誘導型パッシブタイプで個人情報を記憶したＩＣタグを用いた尿センサと、前記おむつ装用者が使用するベッド上のシーツ・ベットマット等に取り付けるとともに、前記尿センサと電磁誘導結合するフィルム状アンテナと、前記おむつ装用者の個人情報を含む排尿監視、及び前記おむつ装用者の介護等を担当する介護者等が所持する任意数の携帯情報端末へのデータ配信を行う管理コンピュータと、前記フィルム状アンテナへの所要の電力供給を行い、フィルム状アンテナと尿センサとを電磁誘導結合させるとともに、前記管理コンピュータとの間で無線又は有線でのデータ伝送を行い、前記フィルム状アンテナを介して前記尿センサとの間のデータ伝送を行う送受信コントローラーと、を含む排尿検知システムであって、前記尿センサの尿検知部における尿存在によるインピーダンス変化に基づく電磁誘導結合断絶を利用して尿センサをオフからオンにスイッチングし、オンに転じた時点を前記管理コンピュータにより尿検知信号として検知して、この尿検知信号を基に前記携帯情報端末へ個人情報を含む排尿検知通報を行うように構成したことを最も主要な特徴とする。
【考案の効果】
【００１５】
請求項１記載の考案によれば、バッテリーレス、電磁誘導を利用したパッシブ型であって、尿の存在の有無に応じたインピーダンス変化によってスイッチング動作するＩＣタグ構造の尿センサと、フィルム状アンテナと、送受信コントローラーと、管理コンピュータと、介護者等の携帯情報端末と、を含む構成の基に、尿センサの尿検知部に尿（水分）が存在するようになったときのインピーダンス変化を利用して尿センサの動作をオフ状態からオン状態に転じるスイッチング動作を生成させ、これにより、ベッドを利用している当該おむつ装用者の排尿検知をその個人情報に関連付けて的確に行い、介護者等に的確に通報することが可能な斬新な排尿検知システムを実現し提供することができる。
【００１６】
請求項２記載の考案によれば、任意数のベッドを利用している各おむつ装用者に関して、請求項１記載の考案の場合と同様にして、いずれのおむつ装用者が排尿したかをその個人情報に関連付けて的確に検地し、介護者等に的確に通報することが可能な斬新な排尿検知システムを実現し提供することができる。
【００１７】
請求項３記載の考案によれば、任意数の車椅子を利用している各おむつ装用者に関して、請求項１記載の考案の場合と同様にして、いずれのおむつ装用者が排尿したかをその個人情報に関連付けて的確に検地し、介護者等に的確に通報することが可能な斬新な排尿検知システムを実現し提供することができる。
【００１８】
請求項４記載の考案によれば、バッテリーレス、電磁誘導を利用したパッシブ型であって、尿の存在の有無に応じたインピーダンス変化によってスイッチング動作するＩＣタグ構造の尿センサと、フィルム状アンテナと、ＳＩＭカードを含む送受信コントローラーと、介護者等の携帯情報端末と、を含む構成の基に、尿センサの尿検知部に尿（水分）が存在するようになったときのインピーダンス変化を利用して尿センサの動作をオフ状態からオン状態に転じるスイッチング動作を生成させ、これにより、当該おむつ装用者の排尿検知をその個人情報に関連付けて的確に行い、介護者等に的確に通報することが可能な斬新な排尿検知システムを実現し提供することができる。
【００１９】
請求項５記載の考案によれば、医療施設や介護施設等内の患者や被介護者等であるおむつ装用者に関して、当該おむつ装用者の排尿検知をその個人情報に関連付けて的確に行い、介護者等に的確に通報することが可能な斬新な排尿検知システムを実現し提供することができる。
【図面の簡単な説明】
【００２０】
【図１】図１は本考案の実施例に係る排尿検知システムの構成を示す概略ブロック図である。
【図２】図２は本実施例に係る排尿検知システムの外観構成を示す概略説明図である。
【図３】図３は本実施例に係る排尿検知システムにおける尿センサを取り付けたおむつを示す概略斜視図である。
【図４】図４は本実施例に係る排尿検知システムにおけるフィルム状アンテナを取り付けたベッドを示す概略斜視図である。
【図５】図５は本実施例に係る排尿検知システムにおける尿センサ、フィルム状アンテナ、送受信コントローラーの構成を示す概略ブロック図である。
【図６】図６は本考案の変形例に係る排尿検知システムの構成の一部である車椅子を示す概略側面図である。
【図７】図７は本考案の別の実施例に係る排尿検知システムの構成を示す概略ブロック図である。
【図８】図８は本考案の別の実施例に係る排尿検知システムにおける尿センサ、フィルム状アンテナ、送受信コントローラーの構成を示す概略ブロック図である。
【考案を実施するための形態】
【００２１】
本考案は、バッテリーレス、電磁誘導を利用したパッシブ型で、尿の存在の有無に応じたインピーダンス変化によってスイッチング動作するＩＣタグ構造の尿センサを用いて、一層的確におむつ装用者の排尿検知を実現する排尿検知システムを提供するという目的を、任意数のおむつ装用者が装用する各おむつに取り付けるとともに通常状態で所定のインピーダンスを持った尿検知部を備え、電磁誘導型パッシブタイプで各個人情報を記憶したＩＣタグを用いた尿センサと、前記各おむつ装用者が使用する各ベッド上のシーツ・ベットマット等に取り付けるとともに、前記各尿センサと電磁誘導結合する各フィルム状アンテナと、前記各おむつ装用者の個人情報を含む排尿監視、及び前記各おむつ装用者の介護等を担当する介護者等が所持する任意数の携帯情報端末への無線によるデータ配信を行う管理コンピュータと、前記各フィルム状アンテナへの所要の電力供給を行い各フィルム状アンテナと各尿センサとを各々電磁誘導結合させるとともに、前記管理コンピュータとの間で無線又は有線でのデータ伝送を行い、前記各フィルム状アンテナを介して前記各尿センサとの間のデータ伝送を各々行う送受信コントローラーと、を含む排尿検知システムであって、前記いずれかの尿センサの尿検知部における尿存在によるインピーダンス変化に基づく電磁誘導結合断絶を利用して当該尿センサをオフからオンにスイッチングし、オンに転じた時点を前記管理コンピュータにより当該おむつ装用者の尿検知信号として検知して、この尿検知信号を基に前記携帯情報端末へ当該おむつ装用者の個人情報を含む排尿検知通報を行うように構成したことにより実現した。
【実施例】
【００２２】
以下、本考案の実施例に係る排尿検知システムについて、図面を参照して詳細に説明する。
【００２３】
本実施例に係る排尿検知システム１は、図１乃至図４に示すように、医療施設や介護施設等々（以下「施設」という）内の患者や被介護者等（以下「おむつ装用者Ｍ」という）が所定位置に装用するおむつ２に取り付けたＨＦ帯ＩＣタグを用いた尿センサ３と、前記おむつ装用者Ｍが使用するベッド４上のシーツ５（又はベットマット等）に取り付けたフィルム状アンテナ６と、を有している。
【００２４】
本実施例に係る排尿検知システム１においては、例えば前記施設内に設けた４箇所の部屋、すなわち、１号室乃至４号室に４人のおむつ装用者Ｍが個別に存在するものとして以下の説明を行う。
【００２５】
本実施例に係る排尿検知システム１は、更に、前記施設内の適宜位置に配置され、前記１号室乃至４号室に配置した各ベッド４に取り付けている各フィルム状アンテナ６に配線接続するとともに、後述する管理コンピュータ８と有線又は無線にてデータ交信するように構成した送受信コントローラー７と、前記施設内の適宜位置に配置され、送受信コントローラー７とデータ交信するとともに、後述する携帯情報端末９とも無線交信する管理コンピュータ（サーバー：ＳＩＰサーバー等）８と、前記施設内でおむつ装用者Ｍの介護等を担当する介護者（医療施設では看護士、介護施設では介護者）が所持する携帯電話、スマートフォン等からなる任意数の携帯情報端末９と、を含んで構成している。
【００２６】
前記各フィルム状アンテナ６と、送受信コントローラー７とは、有線接続の他ＬＡＮ等を使用した無線接続の構成とすることも可能である。
【００２７】
また、前記管理コンピュータ８は、公知の手段で送受信コントローラー７とのデータ交信、任意数の携帯情報端末９に対するメール送信、インターネット回線網１０を通じて所望の通信先とのデータ送受信を行うように構成している。
【００２８】
更に、前記管理コンピュータ８は、受信する尿検知信号の内容（情報）に応じて、その配信先や配信内容（音声情報や文字情報等）を適宜選択する機能を有している。
【００２９】
次に、前記尿センサ３、フィルム状アンテナ６、送受信コントローラー７の具体的構成例について、図５を参照して説明する。
【００３０】
なお、前記１号室乃至４号室に存在する各おむつ装用者Ｍに関して、尿センサ３、フィルム状アンテナ６の構成は同一であるため、図５においては１号室のおむつ装用者Ｍに関する尿センサ３、フィルム状アンテナ６を代表例として説明する。
【００３１】
前記送受信コントローラー７は、管理コンピュータ８からのデータを受信し符号化部１２を経て尿センサ３へ送信する処理、及び尿センサ３からのデータを受信し管理コンピュータ８へ送信する処理を行う送受信制御部１１と、管理コンピュータ８からのデータを符号化して送出する符号化部１２と、尿センサ３からのデータをフィルム状アンテナ６の第２コイル部２２ｂを経て受信し復号化して送出する復号化部１３と、フィルム状アンテナ６の第１コイル部２２ａに所要の電力を供給する交流電源部１４と、交流電源部１４の一方の端子と、前記第１コイル部２２ａとの間に設けられ、交流電源部１４から第１コイル部２２ａへ所要の電力供給を行うとともに、前記符号化部１２からのデータを第１コイル部２２ａ側に送出する電子的スイッチ部１５（常時オフ）と、を具備している。
【００３２】
前記フィルム状アンテナ６は、フィルム状基材２１と、第１コイル部２２ａと、第２コイル部２２ｂと、を具備している。
【００３３】
一般的に存在する読み取り用アンテナでは、ＩＣタグとアンテナ間の距離や、指向性の問題が発生し、現実的におむつの中に入れたタグと別途近辺に置かれたアンテナでは稼働しないものと想定されるが、本実施例のフィルム状アンテナ６では、この程度のインピーダンス変動でもデータ伝送が可能となる。
【００３４】
前記尿センサ３は、ＩＣタグ本体３１に、ＩＣチップ部３２Ａと、ＩＣタグアンテナ部３２Ｂと、尿検知部３３とを設けた構成としている。
【００３５】
前記ＩＣタグアンテナ部３２Ｂは、フィルム状のＩＣタグアンテナ基材３４上にＩＣタグアンテナコイル部３５を設けることにより構成している。
【００３６】
前記ＩＣチップ部３２Ａは、前記ＩＣタグアンテナコイル部３５の一方の端子に一方の端子を接続し、前記ＩＣタグアンテナコイル部３５の他方の端子に尿検知部３３を介在しつつ他方の端子を接続した電子的スイッチ部３６（電磁誘導生成時：オン、電磁断絶時：オフ）と、前記フィルム状アンテナ６の第１コイル部２２ａと、ＩＣタグアンテナコイル部３５との電磁結合により所定の電圧が誘起される誘起電源部３７と、前記送受信コントローラー７、フィルム状アンテナ６、ＩＣタグアンテナコイル部３５を経て送信されてくるデータを復号化してＩＣタグ制御部４０に送出する復号化部３８と、ＩＣタグ制御部４０からのデータを符号化して電子的スイッチ部３６、ＩＣタグアンテナコイル部３５、フィルム状アンテナ６の第２コイル部２２ｂを経て前記送受信コントローラー７に送信する符号化部３９と、前記尿センサ３全体の制御を行うとともに、記憶部４１に対する復号化したデータの書き込み、記憶部４１からのデータを読み出し符号化部３９への送出を行うＩＣタグ制御部４０とを具備している。
【００３７】
更に、前記ＩＣチップ部３２Ａは、データの書き込み、読み出しが可能に構成されるとともに、おむつ装用者Ｍに関する室名、個人名等の個人データを記憶している記憶部４１を具備している。
【００３８】
この場合のおむつ装用者Ｍの室名は「１号室」、個人名は「Ａ」として記憶部４１に記憶されているものとして以下の説明を行う。
【００３９】
上述した２号室乃至４号室の各おむつ装用者Ｍに関しても、同様に、各記憶部４１には室名「２号室」及び個人名「Ｂ」、室名「３号室」及び個人名「Ｃ」、室名「４号室」及び個人名「Ｄ」のように記憶部４１に記憶されている。
【００４０】
前記尿検知部３３は、ＩＣタグアンテナコイル部３５の他方の端子と、前記電子的スイッチ部３６の他方の端子との間に接続されるとともに、例えば一対の検知片３３ａ、３３ｂを備え、通常の状態で一対の検知片３３ａ、３３ｂ間では回路切断されたものを構成としている。
【００４１】
そして、通常の状態でＩＣタグアンテナコイル部３５と前記フィルム状アンテナ６の第１コイル部２２ａとの電磁結合、及び前記第２コイル部２２ｂとＩＣタグアンテナコイル部３５との電磁結合により所定の電圧を誘起電源部３７に誘起させ、前記尿センサ３と管理コンピュータ８との間のデータ交信を持続させるようになっている。
【００４２】
他方、前記一対の検知片３３ａ、３３ｂ間に尿（水分）Ｗ（図５において斜線を付して示す）が付着したとき、一対の検知片３３ａ、３３ｂ間のインピーダンス変化により、ＩＣタグアンテナコイル部３５と前記第１コイル部２２ａとの電磁結合、及びＩＣタグアンテナコイル部３５と前記第２コイル部２２ｂとの電磁結合を行い、データ交信動作を行うように構成している。
【００４３】
このとき、前記送受信コントローラー７から管理コンピュータ８へのデータ送信も無くなる。
【００４４】
換言すれば、一対の検知片３３ａ、３３ｂの箇所に尿（水分）Ｗが存在するようになったときの送受信コントローラー７から管理コンピュータ８への信号変化が尿検知信号を意味することになる。
【００４５】
そして、管理コンピュータ８は、送受信コントローラー７から尿検知信号を受信したとき、例えば「１号室、Ａの排尿を検知しました。」というようなメールを携帯情報端末９に送信するように構成している。
【００４６】
本実施例に係る排尿検知システム１における係る尿センサ３は、バッテリーレス、電磁誘導を利用したパッシブ型の簡略なＩＣタグの構造で、かつ、尿（水分）Ｗが存在するようになったときのインピーダンス変化を利用して動作をオフ状態からオン状態に転じる常時監視型、かつ、スイッチング型として機能するように構成している。
【００４７】
なお、監視時間は、例えば、１分毎、１０分毎、１時間毎等、自由に設定することが可能である。
【００４８】
次に、上述した排尿検知システム１の排尿検知動作について説明する。
【００４９】
上述した構成からなる尿センサ３は、常時オン動作をしており、管理コンピュータ８との間でデータ交信動作を実行している。
【００５０】
前記尿センサ３から、管理コンピュータ８へ送信しているデータには、尿センサ３を取り付けたおむつ２を装用しているおむつ装用者Ｍである１号室のＡについての室名「１号室」、個人名「Ａ」のデータも含まれている。
【００５１】
２号室乃至４号室の各おむつ装用者Ｍに関しても同様である。
【００５２】
すなわち、上述した排尿検知システム１においては、管理コンピュータ８により各おむつ装用者Ｍの排尿状態を常時監視しているものである。
【００５３】
そして、例えば、おむつ装用者Ｍである１号室のＡが排尿したとき、当該おむつ２における一対の検知片３３ａ、３３ｂ間に尿（水分）Ｗが存在するようになり、これにより、一対の検知片３３ａ、３３ｂ間のインピーダンスが変化し、ＩＣタグアンテナコイル部３５と前記第１コイル部２２ａとの電磁結合、及びＩＣタグアンテナコイル部３５と前記第２コイル部２２ｂとの電磁結合が生成し、データ交信動作を行う。
【００５４】
このとき、送受信コントローラー７から管理コンピュータ８へ尿検知信号が送信されることになり、この尿検知信号を受信した管理コンピュータ８は、１号室のＡの排尿有りを検知し、「１号室、Ａの排尿を検知しました。」というメールを介護者等が所持している前記携帯情報端末９に送信する。
なお、メールによる排尿検知通報の他、警報音等による排尿検知通報を行うように構成することも可能である。
【００５５】
他の部屋の各おむつ装用者Ｍに関しても同様である。
【００５６】
このようにして、本実施例の排尿検知システム１によれば、バッテリーレス、電磁誘導を利用したパッシブ型の簡略なＩＣタグの構造の尿センサ３と、フィルム状アンテナ６と、送受信コントローラー７とを含む構成の基に、尿（水分）Ｗが存在するようになったときのインピーダンス変化を利用して尿センサ３の動作をオフ状態からオン状態に転じるスイッチング動作を生成させ、これにより、当該おむつ装用者Ｍの排尿検知をその個人情報に関連付けて的確に行い、介護者等に的確に通報することが可能となる。
【００５７】
この結果、介護者等は、いずれのおむつ装用者Ｍが排尿状態にある、おむつ交換が必要であることを速やかに認識でき、対応する措置を講じることが可能となる。
【００５８】
本実施例の排尿検知システム１によれば、高齢者の排泄に関して、適切な「高齢者向け排泄補助製品を提供し、介護する側、介護される側ともに「大きな負担」から「さりげなく受け止められる」という良好な排泄ケアを実現することが可能となる。
【００５９】
更に、吸水性・通気性の高い前記おむつ２を使用し、日常を清潔な状態に保ち、陰部洗浄など適切な排泄ケアを行うに際して、おむつ２の交換時期を明確に把握することができ、排泄物の刺激から肌を守り、二次トラブルを防止することも可能となる。
【００６０】
上述した本実施例の排尿検知システム１による効果について更に言及すれば、おむつ装用者Ｍの排尿時のおむつ２の汚れを自動的に検知し通報することができ、また、おむつ２に煩雑な配線等は付加する必要も無く、おむつ２の交換時に何等セットする部材、取り外す部材も不要であり、そのまま廃棄することができるという顕著な効果を奏する。
【００６１】
また、前記尿センサ３を構成するＩＣタグ本体３１の必要要件について考察すると、軽いこと（１ｇ以下）、データ送受信に失敗しないこと（電磁誘導型）、電池にかかわる問題がないこと（バッテリーレス）、経年変化に強く、耐久性に優れているもの（耐水性含）、医療器具（心電計・ペースメーカー等）に影響を与えないこと（微弱出力・設定位置）、受信スピードは人間の移動スピードに十二分に対応できること（０．５秒以下）、設備投資が少ないこと、取り付け工程が安易で、的確に稼動すること（電磁誘導型）、利用方法が簡単で、取り扱いが簡便なこと、固定と変動記録を持ち、アップデートが簡便なこと、その他に利便性があること、等の諸点が挙げられるが、本実施例に係る尿センサ３はこれらの要件を十作する仕様としている。
【００６２】
次に、前記尿センサ３を構成するＩＣタグ本体３１の安全性について考察すると、本実施例に係る尿センサ３は、ＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）を採用して、電磁誘導（ガウス等の磁力は発生しない）による反射波を利用して、個人認証等を行う非接触型認証システム構成としている。
【００６３】
また、微弱な出力で、医療器具（心電計・ペースメーカー等）に影響を与えないように配慮している。
【００６４】
国際規格では、ＩＳＯ／ＩＥＣ  １４４４３に分類され、ｐｒｏｘｉｍｉｔｙとも呼ばれ、非接触型ＩＣカードの世界基準ＩＳＯ  １５６９３規格に対応、通信方式は電磁誘導方式で使用交信周波数としては、１３．５６ＭＨｚを使用し、郵政省の技術基準適合証明を取得し、また、ＥＣ指令及びＦＣＣ規格に適合しているものである。
【００６５】
実験結果として、通常の使用では、ペースメーカーとごく近距離に近接するものではないが、最悪の場合としてアンテナから１０ｃｍの距離に偶発的に心臓ペースメーカーが近づいてしまった場合を想定している。
【００６６】
その結果、許容される最大の磁界強度と発射するアンテナからの１０ｃｍ程度における磁界強度は、１３４ｄＢμＡ／ｍ程度であると推定され、心臓ペースメーカーに影響を与えないと報告されている磁界強度の１４４ｄＢμＡ／ｍに対して想定される最悪の条件でも１０ｄＢ下回った値となっており、理論的には心臓ペースメーカー等の医療機器に影響を及ぼすものではないことを確認している。
【００６７】
すなわち、本実施例に係る尿センサ３は、十分な安全性を備えているものである。
【００６８】
図６は、本考案の変形例に係る排尿検知システムの構成の一部を示すものであり、上述した実施例の場合と異なり、おむつ装用者Ｍが車椅子５１を使用する構成例を示している。
【００６９】
この場合には、車椅子５１のシート５２に既述した場合と同様なフィルム状アンテナ６を取り付けた構成とし、この他の構成は上述した実施例の場合と同様とすることにより、各々車椅子５１を使用する任意数のおむつ装用者Ｍの排尿検知に関して上述した実施例の場合と同様な作用、効果を発揮させることができる。
【００７０】
次に、図７、図８を参照して本考案の別の実施例に係る排尿検知システム１Ａについて説明する。
【００７１】
なお、図７、図８に示す別の実施例に係る排尿検知システム１Ａにおいて、既述した実施例に係る排尿検知システム１の場合と同一の要素には同一の符号を付し、その詳細説明は省略する。
【００７２】
別の実施例に係る排尿検知システム１Ａは、基本的構成は既述した実施例に係る排尿検知システム１の場合と同様であるが、前記送受信コントローラー７に替えてＳＩＭカード（シムカード：Ｓｕｂｓｃｒｉｂｅｒ  Ｉｄｅｎｔｉｔｙ  Ｍｏｄｕｕｌｅ  Ｃａｒｄ）１６を前記送受信制御部１１に搭載した構成の送受信コントローラー７Ａを採用し、前記管理コンピュータ８を無くして送受信コントローラー７Ａから通信網（例えば携帯電話通信網）１７を経ていずれかのおむつ装用者Ｍの排尿検知をその個人情報に関連付けて的確に行い、介護者等の携帯情報反町に直接通報するようにしたことが特徴である。
【００７３】
ここに、ＳＩＭカード１６とは、公知のように電話番号や契約者ＩＤを記憶し携帯電話網等を介して無線で情報送受信を行う機能を有するＩＣカードである。
【００７４】
別の実施例に係る排尿検知システム１Ａによれば、バッテリーレス、電磁誘導を利用したパッシブ型の簡略なＩＣタグの構造の尿センサ３と、フィルム状アンテナ６と、送受信コントローラー７Ａとを含み、管理コンピュータ８を無くした構成の基に、既述した場合と同様、おむつ装用者Ｍのおむつ２に尿（水分）Ｗが存在するようになったときのインピーダンス変化を利用して尿センサ３の動作をオフ状態からオン状態に転じるスイッチング動作を生成させ、これにより、当該おむつ装用者Ｍの排尿検知をその個人情報に関連付けて的確に行い、介護者等に的確に通報することが可能となる。
【００７５】
また、既述した実施例の排尿検知システム１の場合と同様な種々の効果を発揮させることができる。
【００７６】
更に、前記送受信コントローラー７Ａとして、前記尿センサ３のＩＣタグアンテナ部３２Ｂと電磁結合するアンテナを含む構成を採用し、携帯型の小型の構成とすれば、おむつ装用者Ｍに送受信コントローラー７Ａを携帯させることで、おむつ装用者Ｍが例えば介護施設内、家屋内等で歩行している際に排尿したような場合でも、当該おむつ装用者Ｍに関する排尿検知をその個人情報に関連付けて的確に行い、介護者等に的確に通報することが可能となる。
【産業上の利用可能性】
【００７７】
本実施例に係る排尿検知システムは、各種病院、医院等の医療施設や、各種介護施設等におけるおむつ装用者に関する排尿検知システムとして広範に適用可能である。
【符号の説明】
【００７８】
１    排尿検知システム
１Ａ  排尿検知システム
２    おむつ
３    尿センサ
４    ベッド
５    シーツ
６    フィルム状アンテナ
７    送受信コントローラー
７Ａ  送受信コントローラー
８    管理コンピュータ
９    携帯情報端末
１０    インターネット回線網
１１    送受信制御部
１２    符号化部
１３    復号化部
１４    交流電源部
１５    電子的スイッチ部
１６    ＳＩＭカード
１７    通信網
２１    フィルム状基材
２２ａ  第１コイル部
２２ｂ  第２コイル部
３１    ＩＣタグ本体
３２Ａ  ＩＣチップ部
３２Ｂ  ＩＣタグアンテナ部
３３    尿検知部
３３ａ  検知片
３３ｂ  検知片
３４    ＩＣタグアンテナ基材
３５    ＩＣタグアンテナコイル部
３６    電子的スイッチ部
３７    誘起電源部
３８    復号化部
３９    符号化部
４０    ＩＣタグ制御部
４１    記憶部
５１    車椅子
５２    シート
Ｍ    おむつ装用者
Ｗ    尿（水分）
【図１】
0003194293.tif 000003
【図２】
0003194293.tif 000004
【図３】
0003194293.tif 000005
【図４】
0003194293.tif 000006
【図５】
0003194293.tif 000007
【図６】
0003194293.tif 000008
【図７】
0003194293.tif 000009
【図８】
0003194293.tif 000010